(57)【特許請求の範囲】
【請求項１】
回路基板側のヒューズ管固定端子に対してヒューズ管を着脱自在に取付けるためのヒューズホルダーであって、ヒューズ管を収納固定する収納凹部と、ヒューズ管を支持する支持爪と、を有し、収納凹部の両内側部にそれぞれ支持爪を設けると共に、ヒューズ管をヒューズ管固定端子に固定した際に前記支持爪がヒューズ管に接触する位置に支持爪を設けて、前記支持爪によるヒューズ管支持軸をヒューズ管固定端子によるヒューズ管固定軸から収納凹部の底面側にずらすことで、ヒューズ管を弾性挟持するヒューズ管固定端子が立設された回路基板側に向かって同ヒューズ管固定端子の弾性力によりヒューズホルダーが押し付けられるようになしたことを特徴とするヒューズホルダー。
【発明の詳細な説明】
【０００１】
【産業上の利用分野】
本発明は、電子機器におけるヒューズホルダーに関するものである。
【０００２】
【従来の技術】
従来のヒューズホルダーの一例を図１１ないし１５に示す。該ヒューズホルダー１００は、電子機器の回路基板２０側に立設した弾性曲ばね等で形成されたヒューズ管固定端子２１に対して複数のヒューズ管２２を同時に着脱自在に取付けるために構成されており、その構成は、一面開口状の本体筐体部１と、本体筐体部１に構成され複数のヒューズ管２２それぞれを収納する収納凹部２と、ヒューズ管２２を支持する支持爪３と、を有する。本体筐体１の内部は、一体成形の仕切り部４により中央が仕切られ、それにより複数の収納凹部２が隣接されて形成されている。また、本体筐体部１の一面開口部１ｂ側とは反対側の有底面１ｔ側には、各収納凹部２に対応させて開口５が設けられている。仕切り部４は、有底面１ｔに対して垂直な状態に成形されている。前記ヒューズ管固定端子２１は、ヒューズ管２２の端部を弾性挟持するように保持する。
【０００３】
また、前記支持爪３は、仕切り部４の面に一体成形で設けられている。支持爪３は、収納凹部２において仕切り部４とは反対側の面、即ち本体筐体部１の内側面部１ａ側にも設けられている。即ち、収納凹部２においてはその両内側面部にそれぞれ支持爪３，３が対向した状態で設けられており、仕切り部４側に設けられた支持爪３と、その反対側の面に設けられた支持爪３とがペアを成して、図１１（ｂ）および図１２に示すようにヒューズ管２２を支持するようになっている。また、前記本体筐体部１の内側面部１ａ側の支持爪３の両側部には切込み部１ｃが設けられており、両切込み部１ｃ，１ｃの間を弾性変位部１ｄとして弾性変位可能な状態に構成してある。また、各収納凹部２の有底面１ｔ側には、前記支持爪３に対応するように支持リブ６が設けられており、２つの支持爪３と支持リブ６とにより、ヒューズ管２２を囲むように支持するようになっている。また、本体筐体部１の外側面には、有底面１ｔに平行に延設された引掛縁部７が設けられている。
【０００４】
ヒューズ管２２は、各支持爪３と支持リブ６とにより動かないように固定されている訳ではなく、ヒューズ管２２の割れ防止等の観点から各支持爪３と支持リブ６とで囲まれた状態である程度自由に動けるような状態に支持されている。また、図１２に示すように、回路基板２０に立設したヒューズ管固定端子２１に複数のヒューズ管２２およびヒューズホルダー１００を取付けた際に、ヒューズ管２２の両端部がそれぞれヒューズ管固定端子２１に弾性固定され、ヒューズ管固定端子２１に固定されたヒューズ管２２を介して、ヒューズホルダー１００が回路基板２０に取付けられるようになっている。
【０００５】
該構成のヒューズホルダー１００において、ヒューズ管２２をヒューズホルダー１００から取り外す際には、開口５からドライバーやボールペンなどの工具を差し入れて収納凹部２内のヒューズ管２２を押し出すことにより、弾性変位部１ｄとその支持爪３が少々弾性変位して、ヒューズ管２２が各支持爪３，３の間の間隙を乗り越えて、ヒューズ管２２を収納凹部２から取り出すことができる。
【０００６】
なお、回路基板２０に立設したヒューズ管固定端子２１に、複数のヒューズ管２２およびヒューズホルダー１００を取り付ける際には、ヒューズホルダー１００の収納凹部２において２つの支持爪３、３と支持リブ６との間の空間にそれぞれヒューズ管２２を嵌め込んで取り付け、ヒューズホルダー１００ごとヒューズ管固定端子２１に対して押し付ける。これにより、各ヒューズ管２２の両端が、それぞれ対応するヒューズ管固定端子２１に弾性固定され、これにより図１４に示すように複数のヒューズ管２２をヒューズ管固定端子２１に同時に取り付けることができる。
【０００７】
また、図１４の状態から、回路基板２０に立設したヒューズ管固定端子２１から、複数のヒューズ管２２およびヒューズホルダー１００を取り外す際には、前記引掛縁部７に指等をかけて図１５中矢印方向に引っ張ると、引掛縁部７とは反対側に位置するヒューズ管２２の一端とヒューズ管固定端子２１との固定部分が支点となって、まずは作用点側である、引掛縁部７と同側に位置するヒューズ管２２の他端とヒューズ管固定端子２１との弾性固定状態が外れ、さらに図１５中矢印方向に引っ張ると、続いて支点側である、引掛縁部７とは反対側に位置するヒューズ管２２の一端とヒューズ管固定端子２１との弾性固定状態が外れるようになっている。
【０００８】
【発明が解決しようとする課題】
前述の従来例においては、ヒューズ管２２は、各支持爪３に固定されている訳ではなく、各支持爪３と支持リブ６とで囲まれた状態である程度自由に動けるような状態に支持されているので、図１３（図１２の図中範囲Ｃ周辺の拡大図）に示すように、ヒューズ管固定端子２１に対して複数のヒューズ管２２およびヒューズホルダー１００を取り付けた状態では、ヒューズ管２２がヒューズ管固定端子２１にしっかり固定されてはいても、ヒューズ管２２とヒューズホルダー１００とは互いに固定された状態にはならないので、ヒューズホルダー１００は回路基板２０に対してがたつくという問題があった。故に、例えばスピーカー等の振動部品を搭載した電子機器などにおいては、スピーカーの振動がヒューズホルダー１００を振動させてしまい、それが影響してスピーカーにびびり音が発生したりなど、電子機器の機能に悪影響を与えてしまうことがあった。
【０００９】
本発明の上述の問題点に鑑みて為されたものであり、ヒューズ管をヒューズ管固定端子に取付けた際に、回路基板に対してがたつかないように構成したヒューズホルダーを提供することを目的とする。
【００１０】
【課題を解決するための手段】
上記目的を達成するために請求項１の発明では、回路基板側のヒューズ管固定端子に対してヒューズ管を着脱自在に取付けるためのヒューズホルダーであって、ヒューズ管を収納固定する収納凹部と、ヒューズ管を支持する支持爪と、を有し、収納凹部の両内側部にそれぞれ支持爪を設けると共に、ヒューズ管をヒューズ管固定端子に固定した際に前記支持爪がヒューズ管に接触する位置に支持爪を設けて、前記支持爪によるヒューズ管支持軸をヒューズ管固定端子によるヒューズ管固定軸から収納凹部の底面側にずらすことで、ヒューズ管を弾性挟持するヒューズ管固定端子が立設された回路基板側に向かって同ヒューズ管固定端子の弾性力によりヒューズホルダーが押し付けられるようになしたことを特徴とする。
【００１１】
【発明の実施の形態】
以下、本発明の実施形態を図面とともに説明する。なお、本実施形態において上記従来技術と同様の構成要素については図面中の記号を同じにし、説明は上記従来の技術の説明文をそのまま援用しこの欄での説明文は省略する。
【００１２】
本実施形態のヒューズホルダーＡが、上記従来技術のヒューズホルダー１００と大きく異なる点は、（１）仕切り部４の一部を、ヒューズ管２２が隣接する方向を弾性変位可能な状態にして、仕切り部４側に設けた支持爪３を弾性変位可能にして成る点と、（２）ヒューズ管２２をヒューズ管固定端子２１に固定した際に支持爪３がヒューズ管２２に接触する位置に支持爪３を設けた点、とである。その他は上記従来技術のものと同じである。
【００１３】
本実施形態のヒューズホルダーＡの一例を図１ないし１０に示す。該ヒューズホルダーＡにおいては、上記従来技術のヒューズホルダー１００と同様に、本体筐体部１の内側面部１ａ側の支持爪３の両側部に切込み部１ｃが設けられており、両切込み部１ｃ，１ｃの間を外側弾性変位部１ｄとして弾性変位可能な状態に構成してある。また、前記仕切り部４側の支持爪３の両側部にも、切込み部４ａが設けられており、両切込み部４ａ，４ａの間を内側弾性変位部４ｂとして弾性変位可能な状態にしてある。すなわち、各収納凹部２の両側部それぞれに切込み部１ｃおよび４ａが設けられ、これにより各収納凹部２の両側部それぞれに弾性変位部１ｄ，４ｂが設けられ、各支持爪３，３が両方とも同時に弾性変位可能な状態に形成されている。
【００１４】
ヒューズ管２２は、上記従来技術のものと同様に、各支持爪３に固定されている訳ではなく、ヒューズ管２２の割れ防止等の観点から各支持爪３と支持リブ６とで囲まれた状態である程度自由に動けるような状態に余裕を以って支持されている。故に、前記内側弾性変位部４ｂは、そのヒューズ管２２と各支持爪３、支持リブ６間の余裕分だけ各収納凹部２が隣接する方向（図３の両矢印の方向）に弾性変位することが出来るようになっている。
【００１５】
該構成において、回路基板２０に立設したヒューズ管固定端子２１から、複数のヒューズ管２２およびヒューズホルダーＡを取り外す際には、前記引掛縁部７に指等をかけて図１０中矢印方向に引っ張ると、引掛縁部７とは反対側に位置するヒューズ管２２の一端２２ａ１とヒューズ管固定端子２１との固定部分が支点となって、まず作用点側である、引掛縁部７と同側に位置するヒューズ管２２の他端２２ａ２とヒューズ管固定端子２１との固定状態が外れ、さらに図１０中矢印方向に引っ張ると、続いて支点側である、引掛縁部７とは反対側に位置するヒューズ管２２の一端２２ａ１とヒューズ管固定端子２１との固定状態が外れるようになっている。この点は従来の技術と要領は同じであるが、本実施形態の如く仕切り部４に切込み部４ａを設けて内側弾性変位部４ｂを設け、仕切り部４の支持爪３が動くように構成したとしても、各収納凹部２にヒューズ管２２が取付けられているので、ヒューズ管固定端子２１から複数のヒューズ管２２およびヒューズホルダーＡを取り外す際には、内側弾性変位部４ｂに対しては両ヒューズ管２２，２２により互いに打ち消すようなバランスした力が働くため、このときは内側弾性変位部４ｂは弾性変位できない状態にある。すなわち、各収納凹部２，２のいずれのヒューズ管２２も支持爪３により強固に支持されるため、ヒューズ管固定端子２１から複数のヒューズ管２２およびヒューズホルダーＡを取り外す際にヒューズ管２２がヒューズホルダーＡから外れることはない。
【００１６】
しかしその反面、ヒューズ管２２をヒューズホルダーＡから取り外す際には、開口５からドライバーやボールペンなどの工具を差し入れて収納凹部２内のヒューズ管２２を押し出すことにより、内側弾性変位部４ｂ側の支持爪３と、外側弾性変位部１ｄ側の支持爪３とが両方同時に且つ互いに離れる方向に弾性変位して両支持爪３，３間の間隙が広がり、ヒューズ管２２が両支持爪３，３間の間隙を乗り越えて、ヒューズ管２２を収納凹部２から容易に取り出すことができる。
【００１７】
すなわち、従来は外側弾性変位部１ｄ側の支持爪３しか弾性変位できなかったので、弾性の固い外側弾性変位部１ｄの変位だけではヒューズ管２２を収納凹部２から容易に取り外すことができず、悪ければヒューズ管２２を割って破壊してしまうこともしばしばある訳であるが、本実施形態においては、外側弾性変位部１ｄ側の支持爪３と、内側弾性変位部４ｂ側の支持爪３とが同時に弾性変位できるため、開口５からドライバーやボールペンなどの工具を差し入れて収納凹部２内のヒューズ管２２を押し出すときには、その分少ない力でペアの支持爪３，３間の間隙を広げることができ、ヒューズ管２２を収納凹部２から容易に取り外すことができるようになったのである。また、該構成を採用しても、前述の理由により、ヒューズ管固定端子２１から複数のヒューズ管２２およびヒューズホルダーＡを取り外す際には、ヒューズ管２２が収納凹部２から外れることはなく、ヒューズホルダーＡの基本性能を落としめることなくヒューズ管２２とヒューズホルダーＡとの取外し容易性を達成している。
【００１８】
なお、上記従来技術のヒューズホルダー１００において、切込み部１ｃを深くして、外側弾性変位部１ｄの長さを長く構成すれば、その分弾性変位しやすくはなるが、その分ヒューズホルダー１００自体は大型化してしまう。しかし本実施形態の構成によれば、切込み部１ｃを深くして外側弾性変位部１ｄを長くせずとも、十分に上記の効果を発揮でき、ひいてはヒューズホルダーＡ自体の小型化にも貢献している。
【００１９】
また、図１に示すように、支持爪３によるヒューズ管支持軸Ｆ（図１中×印）を、ヒューズ管固定端子２１によるヒューズ管固定軸Ｅ（図１中○印）からずらし、図１ないし２に示すように、ヒューズ管２２をヒューズ管固定端子２１に固定した際に支持爪３がヒューズ管２２に接触する位置に支持爪３を設けてある。なお、ヒューズ管支持軸Ｆ（図１中×印）は、２つの支持爪３，３でヒューズ管２２を支持したとき（例えば図５（ｂ）に示す状態。この場合はヒューズ管２２が２つに支持爪３に接触し且つ支持リブ６には接触していない状態）のヒューズ２２の中心軸に一致し、ヒューズ管固定軸Ｅ（図１中○印）は、ヒューズ２２をヒューズ管固定端子２１に取付固定したときのヒューズ２２の中心軸にそれぞれ一致する。すなわち、従来例であるならば、回路基板２０に立設したヒューズ管固定端子２１に、複数のヒューズ管２２およびヒューズホルダーＡを取り付けた状態では、ヒューズ管支持軸Ｆとヒューズ管固定軸Ｅとが一致していたのであるが、本実施形態においては、図１に示すようにヒューズ管支持軸Ｆとヒューズ管固定軸Ｅとは互いにずれており、ヒューズ管支持軸Ｆがヒューズ管固定軸Ｅより多少有底面１ｔ側にずれている。すなわち、上記従来例に比して支持爪３が多少有底面１ｔ側にずれて配置されていることになる。これにより、ヒューズ管固定端子２１に、複数のヒューズ管２２およびヒューズホルダーＡを取り付けた状態では、図２に示すように、２つの支持爪３，３がヒューズ管２２ににおいて弾性接触した状態（図２中ポイントＤで接触）となり、これによりヒューズホルダーＡ自体にはヒューズ管固定端子２１の弾性力が作用して、図１中矢印方向へ弾性力が働き、回路基板２０に向かって弾性を以って押し付けられた状態となる。すなわち、ヒューズホルダーＡ自体は回路基板２０に対してしっかり弾性固定された状態となり、がたつきがなくなるのである。なお、図１ないし２で示した構成は、ヒューズ管２２を複数収納するヒューズホルダーに限らず、ヒューズ管２２を１つだけ収納するタイプのヒューズホルダーでも採用可能である。
【００２０】
なお、上記実施形態において、本体筐体部１の内側面部１ａ側の支持爪３の両側部には切込み部１ｃを設けずに外側弾性変位部１ｄの部分を設けなくとも、仕切り部４側の切込み部４ａのみ設けて、内側弾性変位部４ｂのみ設けてその支持爪３を弾性変位可能な状態に構成してもよく、本願効果は達成できる。ただし上記外側弾性変位部１ｄと内側弾性変位部１ｄを両方同時に設けたほうが、ヒューズ管２２をヒューズホルダーＡから取外す場合には、外側弾性変位部１ｄと内側弾性変位部１ｄとで各支持爪３の変位量を分散できるため、ヒューズ管２２を取り外しやすくなる。
【００２１】
また、仕切り部４の支持爪３両側部に切込み部４ｂを設けて、仕切り部４の一部（内側弾性変位部４ｂ）のみ弾性変位可能な状態に形成していたが、たとえば仕切り部４全体が変位出来るように弾性変位可能な状態に形成してもよい。また、収納凹部２は２つに限らず、３以上複数を隣接するよう設けてもよい。この場合、収納凹部２の両側が仕切り部４となり切込み部４ａが収納凹部２の両側に設けられることになる。
【００２２】
【発明の効果】
請求項１記載の本発明によれば、回路基板に複数のヒューズ管およびヒューズホルダーを取付けた際に、ヒューズ管固定端子の弾性力によりヒューズホルダーが回路基板に押し付けられる方向に作用するため、ヒューズホルダーががたつくことを防止できる。
【図面の簡単な説明】
【図１】本発明に係る実施形態のヒューズホルダーＡにおいてヒューズ管２２と回路基板２０との取付状態を示す一部拡大断面図である。
【図２】同上においてヒューズ管２２と回路基板２０との取付状態を示す一部拡大断面図である。（図１中範囲Ｂの拡大図）
【図３】同上のヒューズホルダーＡを示す底面側斜視図である。
【図４】同上においてヒューズホルダーＡ、ヒューズ管２２、回路基板２０の関係を示す上面視分解斜視図である。
【図５】同上においてヒューズホルダーＡの底面側斜視図（ａ）およびヒューズ管２２の取付状態を示す正面断面図（ｂ）である。
【図６】同上においてヒューズホルダーＡの上面図である。
【図７】同上においてヒューズホルダーＡの正面断面図（ａ）およびヒューズ管２２と回路基板２０との取付状態を示す正面断面図（ｂ）である。
【図８】同上においてヒューズホルダーＡの側断面図（ａ）および底面図（ｂ）である。
【図９】同上においてヒューズ管２２と回路基板２０との取付状態を示す側断面図である。
【図１０】同上においてヒューズ管固定端子２１からヒューズ管２２とヒューズホルダーＡを取り外す過程を示す側断面図である。
【図１１】従来技術におけるヒューズホルダー１００の底面側斜視図（ａ）およびヒューズ管２２を取付けた状態の正面断面図（ｂ）である。
【図１２】同上においてヒューズ管２２と回路基板２０との取付状態を示す一部断面拡大図である。
【図１３】同上においてヒューズ管２２と回路基板２０との取付状態を示す一部断面拡大図である。（図１２中範囲Ｃの拡大図）
【図１４】同上においてヒューズ管２２と回路基板２０との取付状態を示す側断面図である。
【図１５】同上においてヒューズ管固定端子２１からヒューズ管２２とヒューズホルダー１００を取り外す過程を示す側断面図である。
【符号の説明】
Ａ  ヒューズホルダー
１ｃ  切込み部
１ｄ  外側弾性変位部
２  収納凹部
３  支持爪
４  仕切り部
４ａ  切込み部
４ｂ  内側弾性変位部
２０  回路基板
２１  ヒューズ管固定端子
２２  ヒューズ管
【図１】
0003577953.tif 000002
【図２】
0003577953.tif 000003
【図３】
0003577953.tif 000004
【図４】
0003577953.tif 000005
【図５】
0003577953.tif 000006
【図６】
0003577953.tif 000007
【図７】
0003577953.tif 000008
【図８】
0003577953.tif 000009
【図９】
0003577953.tif 000010
【図１０】
0003577953.tif 000011
【図１１】
0003577953.tif 000012
【図１２】
0003577953.tif 000013
【図１３】
0003577953.tif 000014
【図１４】
0003577953.tif 000015
【図１５】
0003577953.tif 000016